(57)【要約】      （修正有）【課題】残留ＡＭ信号を抑圧し、かつ、充分なＦＭ復調振幅が得られないことによるチャンネル信号の劣化を抑圧してチャンネル信号を変調することができる変調器、光送信器および光伝送装置を提供する。【解決手段】入力信号を変調する変調器２で、第１の周波数帯域で伝送される第１の入力信号の位相を反転出力する分岐回路２１と、第１の入力信号をＦＭ変調し第１のＦＭ変調光を出力する第１の半導体レーザ２２ａと、反転信号をＦＭ変調し第２のＦＭ変調光を出力する第２の半導体レーザ２２ｂと、第１のＦＭ変調光または第２のＦＭ変調光の一方の位相を、第２の周波数帯域で伝送される第２の入力信号に基づき変化させ、位相変調光を出力する光位相変調手段２３と、第１のＦＭ変調光または第２のＦＭ変調光の他方と、位相変調光とを合波した変調光を出力する光合波手段２４と、変調光を光ヘテロダイン検波して変調信号に変換する光電変換手段２５と、を備える。【選択図】  図１
2006049977.tif 000002
【特許請求の範囲】
【請求項１】
入力信号を変調する変調器であって、
第１の周波数帯域で伝送される第１の入力信号の位相を反転した反転信号を出力する位相反転手段と、
前記第１の入力信号をＦＭ変調して第１のＦＭ変調光を出力する第１の半導体レーザと、
前記反転信号をＦＭ変調して第２のＦＭ変調光を出力する第２の半導体レーザと、
前記第１のＦＭ変調光または前記第２のＦＭ変調光の一方の位相を、第２の周波数帯域で伝送される第２の入力信号に基づいて変化させ、位相変調光を出力する光位相変調手段と、
前記第１のＦＭ変調光または前記第２のＦＭ変調光の他方と、前記位相変調光とを合波した変調光を出力する光合波手段と、
前記変調光を光ヘテロダイン検波して変調信号に変換する光電変換手段と、
を備える変調器。
【請求項２】
請求項１記載の変調器であって、
前記光位相変調手段は、前記第１のＦＭ変調光の位相を、前記第２の入力信号に基づいて変化させ、第１の位相変調光を出力し、前記第２のＦＭ変調光の位相を、第３の周波数帯域で伝送される第３の入力信号に基づいて変化させ、第２の位相変調光を出力し、
前記光合波手段は、前記第１の位相変調光と前記第２の位相変調光とを合波した前記変調光を出力する変調器。
【請求項３】
請求項１または２に記載の変調器であって、
前記第１の半導体レーザから前記第１のＦＭ変調光を出力するタイミング、または、前記第２の半導体レーザから前記第２のＦＭ変調光を出力するタイミングを制御するタイミング制御手段を備える変調器。
【請求項４】
請求項１から３のいずれかに記載の変調器であって、
前記第１のＦＭ変調光または前記第２のＦＭ変調光の一方の位相を遅延する光遅延手段を備える変調器。
【請求項５】
請求項１から４のいずれかに記載の変調器であって、
前記第１の入力信号、前記第２の入力信号、および前記第３の入力信号は、周波数多重された多チャンネル信号である変調器。
【請求項６】
請求項１から５のいずれかに記載の変調器であって、
前記第１の周波数帯域は９００ＭＨｚ以下であり、前記第２、３の周波数帯域は９００ＭＨｚ以上である変調器。
【請求項７】
請求項１から６のいずれかに記載の変調器を含む光送信器であって、
前記変調器により変調された変調信号を光信号に変換するＥＯ変換部と、
前記ＥＯ変換部により変換した前記光信号を送信する送信手段と、
を備える光送信器。
【請求項８】
請求項７記載の光送信器と、前記光送信器から光ファイバを介して送信された光信号を受信する光受信器から構成される光伝送装置であって、
前記光受信器は、
前記光ファイバを介して送信された前記光信号を受信する受信手段と、
前記光信号を電気信号に変換するＯＥ変換部と、
前記ＯＥ変換部により変換された電気信号をＦＭ復調するＦＭ復調器と、
を備える光伝送装置。
【発明の詳細な説明】
【技術分野】
【０００１】
本発明は、光ファイバにより多チャンネル信号を伝送する光伝送装置に関し、特に、多チャンネル信号を変調する変調器、この変調器により変調した信号を送信する光送信器、および、この光送信器を含む光伝送装置に関する。
【背景技術】
【０００２】
光ファイバにより多チャンネル信号を伝送する従来の光伝送装置としては、光ヘテロダイン検波方式を用いた変調器により多チャンネル信号を変調し、変調した信号を光信号に変換して伝送する光伝送装置が提案されている（例えば、非特許文献１参照）。
【０００３】
図５に、光ヘテロダイン検波方式を用いたＦＭ変調器を含む、従来の光伝送装置の構成図を示す。従来の光伝送装置は、入力された多チャンネル信号を電気信号であるＦＭ信号に変調するＦＭ変調器１２とＦＭ信号を光信号に変換して光ファイバ４へと送出するＥＯ変換部とから構成される光送信器１１と、光ファイバ４で伝送された光信号を電気信号に変換するＯＥ変換部６とその電気信号をＦＭ復調して出力するＦＭ復調器７とから構成される光受信器５、とを含んで構成される。
【０００４】
ＦＭ変調器１２について、図５及び図６に示す従来のＦＭ変調器の各部及びＦＭ復調器の出力スペクトラムを参照して、詳細に説明する。
【０００５】
分岐回路１２１は、図６（ａ）に示す周波数多重された多チャンネル信号がＦＭ変調器に入力されると、位相を反転させた２つの多チャンネル信号を、波長の異なる第１の半導体レーザ１２２ａ、第２の半導体レーザ１２２ｂそれぞれに出力する。
【０００６】
半導体レーザ１２２ａおよび半導体レーザ１２２ｂはそれぞれ、入力された多チャンネル信号に基づいて光周波数がＦＭ変調された、図６（ｂ）及び図６（ｃ）に示すＦＭ変調光を光カプラ１２３に出力する。半導体レーザ１２２ａ、１２２ｂが出力するＦＭ変調光のスペクトラムは、半導体レーザ１２２ａ、１２２ｂに入力される多チャンネル信号によって、約２００ＴＨｚ付近でＦＭ変調される（ＦＭ変調することによりスペクトラムは広がっている）。また、半導体レーザ１２２ａ、１２２ｂの光周波数をＦＭ変調した際にその強度も変調してしまうため、半導体レーザ１２２ａ、１２２ｂが出力するＦＭ変調光のスペクトラムにはそれぞれ、多チャンネル信号と同一周波数成分をもつ残留ＡＭ信号が発生してしまう。残留ＡＭ信号は、ＦＭ復調後の多チャンネル信号にノイズを生じさせ、また歪特性を劣化させる原因となる。
【０００７】
光カプラ１２３は、この２つのＦＭ変調光を合波し、その光信号を受光素子１２５に出力する。半導体レーザ１２２ａと半導体レーザ１２２ｂの光周波数をＦＭ変調する２つの多チャンネル信号の位相が反転しているため、上記の残留ＡＭ成分もまた位相が反転している。このため、光カプラ１２４は半導体レーザ１２２ａと半導体レーザ１２２ｂとからそれぞれ出力されたＦＭ変調光の残留ＡＭ成分を打ち消して合波するため、光カプラ１２４が出力した光信号には、図６（ｄ）に示すように残留ＡＭ信号が出力されない。
【０００８】
受光素子１２５は、光ヘテロダイン検波によって、合波された２つのＦＭ変調光の周波数の差から電気信号であるＦＭ信号を出力する。図６（ｅ）は受光素子１２５が出力するＦＭ信号を示している。このＦＭ信号は、ＦＭ変調器１２に入力された多チャンネル信号をＦＭ変調したものであり、ＦＭ信号の中心周波数は２つの半導体レーザ１２２ａ、１２２ｂが出力する光周波数の中心値の差で決まる。
【０００９】
光受信器１６は、図６（ｅ）に示すＦＭ信号をＦＭ復調することで図６（ｆ）に示す多チャンネル信号を受信する。
【００１０】
このように、ＦＭ変調器を含む従来の光伝送装置によれば、位相が反転した２つの多チャンネル信号に基づいて２つの半導体レーザの光周波数をそれぞれ変調し、２つの半導体レーザから出力されたＦＭ変調光を合波することにより、それぞれのＦＭ変調光に含まれる残留ＡＭ信号を打ち消すことができるため、ＦＭ変調器に入力された多チャンネル信号を残留ＡＭ信号を抑圧してＦＭ変調することができる（例えば特許文献１参照）。
【００１１】
また、上述の残留ＡＭ信号が発生しない光位相変調器について、図７に示す、光へテロダイン検波方式を用いた光位相変調器を含む、従来の光伝送装置の構成図、および、図８に示す、従来の、光位相変調器の各部及びＦＭ復調器の出力スペクトラムを参照して説明する。なお、図５、図６と同一符号のものは、同一の構成を示しており、説明は省略する。
【００１２】
半導体レーザ２２２ａ、２２２ｂは、図８（ｂ）に示す、無変調の光信号（ローカル光）を出力する。
【００１３】
光位相変調器２２３は、半導体レーザ２２２ｂから出力されたローカル光を周波数多重された多チャンネル信号に基づいて位相変調し、図８（ｃ）に示す位相変調光を出力する。光位相変調器２２３が出力する位相変調光のスペクトラムは、光位相変調器２２３に入力される多チャンネル信号によって、約２００ＴＨｚ付近で変調される。また、半導体レーザから出力されたローカル光を光位相変調器２２３で位相変調することにより、残留ＡＭ信号が発生しない。
【００１４】
光カプラ２２３は、半導体レーザ２２２ａから出力されたローカル光と光位相変調器２２３から出力された位相変調光とを合波し、図８（ｄ）に示す光信号を受光素子２２３に出力する。
【００１５】
受光素子２２５は、光ヘテロダイン検波によって、合波された２つの光信号の周波数の差から電気信号である位相変調信号を出力する。図８（ｅ）に受光素子２２５が出力する位相変調信号を示している。この位相変調信号は、光位相変調器２２３に入力された多チャンネル信号を位相変調したものであり、この位相変調信号の中心周波数は二つの半導体レーザ２２２ａ、２２２ｂが出力する光周波数の中心値の差で決まる。
【００１６】
光受信器６は、図８（ｅ）に示す位相変調信号をＦＭ復調することで図８（ｆ）に示す多チャンネル信号を受信する。位相変調と周波数変調は、ほぼ同義の角度変調方式であるため、光受信器６のＦＭ復調器７によって多チャンネル信号を復調することができる。
【００１７】
このように、光位相変調器を含む従来の光伝送装置によれば、半導体レーザから出力されたローカル光を多チャンネル信号に基づいて位相変調することにより、位相変調器に入力された多チャンネル信号を残留ＡＭ信号が発生することなしに位相変調することができる（例えば特許文献２参照）。
【特許文献１】特開平１１−１１２４３３号公報
【特許文献２】特開平１０−１３３５４号公報
【非特許文献１】Ｋ．Ｋｉｋｕｓｈｉｍａ，  ｅｔ  ａｌ．：  Ｓｕｐｅｒ−ｗｉｄｅ−ｂａｎｄ  ｏｐｔｉｃａｌ  ＦＭ  ｍｏｄｕｌａｔｉｏｎ  ｓｃｈｅｍｅ  ａｎｄ  ｉｔｓ  ａｐｐｌｉｃａｔｉｏｎ  ｔｏ  ｍｕｌｔｉ−ｃｈａｎｎｅｌ  ＡＭ  ｖｉｄｅｏ  ｔｒａｎｓｍｉｓｓｉｏｎ  ｓｙｓｔｅｍｓ，ＩＥＥＥ  Ｐｈｏｔｏｎｉｃｓ  Ｔｅｃｈｎｏｌｏｇｙ  Ｌｅｔｔｅｒｓ，ｐｐ．８３９−８４１，１９９６。
【発明の開示】
【発明が解決しようとする課題】
【００１８】
しかしながら、従来のＦＭ変調器含む光伝送装置においては、半導体レーザの光周波数をＦＭ変調する多チャンネル信号の周波数が高いと、正確に位相が反転した２つのＦＭ変調光を光カプラに入力することが困難なため、この２つのＦＭ変調光を合波しても残留ＡＭ信号を充分に打ち消すことができず、残留ＡＭ信号の抑圧が困難になる。例えば、残留ＡＭ信号を充分に打ち消すための、２つの多チャンネル信号の許容位相差を１０度とした場合、分岐回路から光カプラまでの２つのパスの遅延差は１００ＭＨｚでは２８０ｐｓ程度まで許容されるが、２ＧＨｚの場合は１４ｐｓ程度までしか許容されない。この１４ｐｓの遅延差は半導体レーザの群遅延や分岐回路の群遅延等のばらつきなどによって容易に発生するため、残留ＡＭ信号を充分に打ち消すことが困難である。
【００１９】
また、従来の光位相変調器含む光伝送装置においては、半導体レーザの光周波数を光位相変調する多チャンネル信号の周波数が低いと、図８（ｆ）に示すように、光受信器で位相変調信号を復調した多チャンネル信号は低い周波数のチャンネル信号ほど振幅が小さくなる周波数特性を持つため、低い周波数のチャンネル信号は充分なＦＭ復調振幅が得られず、信号劣化が発生してしまう。
【００２０】
本発明は、上記事情に鑑みてなされたもので、チャンネル信号の周波数によらず、残留ＡＭ信号を抑圧し、かつ、充分なＦＭ復調振幅が得られないことによるチャンネル信号の劣化を抑圧してチャンネル信号を変調することができる変調器、光送信器および光伝送装置を提供することを目的とする。
【課題を解決するための手段】
【００２１】
本発明の変調器は、入力信号を変調する変調器であって、第１の周波数帯域で伝送される第１の入力信号の位相を反転した反転信号を出力する位相反転手段と、前記第１の入力信号をＦＭ変調して第１のＦＭ変調光を出力する第１の半導体レーザと、前記反転信号をＦＭ変調して第２のＦＭ変調光を出力する第２の半導体レーザと、前記第１のＦＭ変調光または前記第２のＦＭ変調光の一方の位相を、第２の周波数帯域で伝送される第２の入力信号に基づいて変化させ、位相変調光を出力する光位相変調手段と、前記第１のＦＭ変調光または前記第２のＦＭ変調光の他方と、前記位相変調光とを合波した変調光を出力する光合波手段と、前記変調光を光ヘテロダイン検波して変調信号に変換する光電変換手段と、を備えるものである。
【００２２】
この構成によれば、周波数の低いチャンネル信号は、ＦＭ変調により半導体レーザの光周波数を変調し、周波数の高いチャンネル信号は、光位相変調器により半導体レーザの光周波数を変調することにより、チャンネル信号の周波数に依らず、残留ＡＭ信号を抑圧することができ、かつ、充分なＦＭ復調振幅が得られないことによるチャンネル信号の劣化を抑えることができる。
【００２３】
また、本発明の変調器は、前記光位相変調手段が、前記第１のＦＭ変調光の位相を、前記第２の入力信号に基づいて変化させ、第１の位相変調光を出力し、前記第２のＦＭ変調光の位相を、第３の周波数帯域で伝送される第３の入力信号に基づいて変化させ、第２の位相変調光を出力し、前記光合波手段が、前記第１の位相変調光と前記第２の位相変調光とを合波した前記変調光を出力するものを含む。
【００２４】
この構成によれば、半導体レーザ毎の光周波数を光位相変調することにより、一度に多くのチャンネル信号を光位相変調することができる。
【００２５】
また、本発明の変調器は、前記第１の半導体レーザから前記第１のＦＭ変調光を出力するタイミング、または、前記第２の半導体レーザから前記第２のＦＭ変調光を出力するタイミングを制御するタイミング制御手段を備えるものを含む。
【００２６】
この構成によれば、半導体レーザから出力されたＦＭ変調光を光位相変調することにより遅延が発生したために、光カプラに入力する２つの変調光の位相を正確に反転することができない場合でも、２つの半導体レーザが変調光を出力するタイミングを制御して、位相が反転した２つの変調光を合波することにより、残留ＡＭ信号を打ち消すことができる。
【００２７】
また、前記第１のＦＭ変調光または前記第２のＦＭ変調光の一方の位相を遅延する光遅延手段を備えるものを含む。
【００２８】
この構成によれば、半導体レーザから出力されたＦＭ変調光を光位相変調することにより遅延が発生したために、光カプラに入力する２つの変調光の位相を正確に反転することができない場合でも、遅延が発生していないＦＭ変調光の位相をその遅延分だけ遅延させて、位相が反転した２つの変調光を合波することにより、残留ＡＭ信号を打ち消すことができる。
【００２９】
また、本発明の変調器は、前記第１の入力信号、前記第２の入力信号、および前記第３の入力信号が、周波数多重された多チャンネル信号であるものを含む。
【００３０】
この構成によれば、周波数多重された複数の入力信号を変調器に入力することにより、一度に多くのチャンネル信号を変調することができる。
【００３１】
さらに、本発明の変調器は、前記第１の周波数帯域が９００ＭＨｚ以下であり、前記第２、３の周波数帯域が９００ＭＨｚ以上であるものを含む。
【００３２】
この構成によれば、実際の地上波アナログ信号、地上波デジタル信号、６４ＱＡＭデジタル信号、ＢＳデジタル、ＢＳアナログ、ＣＳデジタル信号のＩＦ信号に対応することができる。
【００３３】
本発明の光送信器は、本発明の変調器を含む光送信器であって、前記変調器により変調された変調信号を光信号に変換するＥＯ変換部と、前記ＥＯ変換部により変換した前記光信号を送信する送信手段と、を備えるものである。
【００３４】
この構成によれば、周波数の低いチャンネル信号は、ＦＭ変調により半導体レーザの光周波数を変調し、周波数の高いチャンネル信号は、光位相変調器により半導体レーザの光周波数を変調することにより、チャンネル信号の周波数に依らず、残留ＡＭ信号を抑圧することができ、かつ、充分なＦＭ復調振幅が得られないことによるチャンネル信号の劣化を抑えることができる。
【００３５】
本発明の光伝送装置は、本発明のの光送信器と、前記光送信器から光ファイバを介して送信された光信号を受信する光受信器から構成される光伝送装置であって、前記光受信器が、前記光ファイバを介して送信された前記光信号を受信する受信手段と、前記光信号を電気信号に変換するＯＥ変換部と、前記ＯＥ変換部により変換された電気信号をＦＭ復調するＦＭ復調器と、を備えるものである。
【００３６】
この構成によれば、周波数の低いチャンネル信号は、ＦＭ変調により半導体レーザの光周波数を変調し、周波数の高いチャンネル信号は、光位相変調器により半導体レーザの光周波数を変調することにより、チャンネル信号の周波数に依らず、残留ＡＭ信号を抑圧することができ、かつ、充分なＦＭ復調振幅が得られないことによるチャンネル信号の劣化を抑えることができる。
【発明の効果】
【００３７】
本発明の変調器、光送信器および光伝送装置によれば、チャンネル信号の周波数によらず、残留ＡＭ信号を抑圧し、かつ、充分なＦＭ復調振幅が得られないことによるチャンネル信号の劣化を抑圧して、チャネル信号を変調することができる。
【発明を実施するための最良の形態】
【００３８】
以下、本発明の実施の形態の変調器、この変調器により変調した信号を送信する光送信器、および、この光送信器を含む光伝送装置について、図面を参照して詳細に説明する。なお、図５から図８と同一符号のものは、同一の構成を示している。
【００３９】
（第１実施形態）
本発明の第１実施形態の変調器、光送信器および光伝送装置について詳細に説明する。
【００４０】
図１に、本発明の第１実施形態の変調器を含む光伝送装置の構成図を示す。本発明の第１実施形態の変調器を含む光伝送装置は、入力された第１、第２の多チャンネル信号を変調する変調器２と変調した信号を光信号に変換して光ファイバ４へ送出するＥＯ変換部とから構成される光送信器１と、光ファイバ４で伝送された光信号を電気信号に変換するＯＥ変換部６とその電気信号をＦＭ復調して出力するＦＭ復調器７とから構成される光受信器５、とを含んで構成される。
【００４１】
変調器２について、図１及び図２に示す本発明の第１実施形態の変調器の各部、及び、ＦＭ復調器の出力スペクトラムを参照して、詳細に説明する。
【００４２】
分岐回路２１は、図２（ａ）に示す、９００ＭＨｚ以下の低い周波数のチャンネル信号で周波数多重された第１の多チャンネル信号が入力されると、位相を反転させた２つの第１の多チャンネル信号を、波長の異なる第１の半導体レーザ２２ａ、第２の半導体レーザ２２ｂそれぞれに出力する。
【００４３】
半導体レーザ２２ａおよび半導体レーザ２２ｂはそれぞれ、入力された多チャンネル信号に基づいて光周波数がＦＭ変調された、図２（ｂ）および図２（ｃ）に示す第１ＦＭ変調光および第２ＦＭ変調光を光カプラ２３に出力する。半導体レーザ２２ａ、２２ｂが出力するＦＭ変調光のスペクトラムにはそれぞれ、第１の多チャンネル信号と同一周波数成分をもつ残留ＡＭ信号が発生する。
【００４４】
光位相変調器２３は、半導体レーザ２２ｂから入力された第２ＦＭ変調光を、図２（ｄ）に示す、９００ＭＨｚ以上の高い周波数のチャンネル信号で周波数多重された第２の多チャンネル信号に基づいてさらに位相変調し、図２（ｅ）に示す位相変調光を出力する。
【００４５】
光カプラ２４は、半導体レーザ２２ａから出力された第１ＦＭ変調光と光位相変調器２３から出力された位相変調光とを合波し、その光信号を受光素子２５に出力する。半導体レーザ２２ａと半導体レーザ２２ｂの光周波数をＦＭ変調する２つの多チャンネル信号の位相が反転しているため、上記の残留ＡＭ成分もまた位相が反転している。このため、光カプラ２４は半導体レーザ２２ａと半導体レーザ２２ｂとからそれぞれ出力されたＦＭ変調光の残留ＡＭ成分を打ち消して合波するため、光カプラ２４が出力した光信号には、図２（ｆ）に示すように残留ＡＭ信号が出力されない。
【００４６】
受光素子２５は、光ヘテロダイン検波によって、合波された第１ＦＭ変調光と位相変調光の周波数の差から電気信号である変調信号を出力する。図２（ｇ）に受光素子２５が出力する変調信号を示している。この変調信号は、半導体レーザ２ａ、２ｂに入力された第１の多チャンネル信号をＦＭ変調したものと、光位相変調器３に入力された第２の多チャンネル信号を位相変調したものとが混合したものであり、上記の信号の中心周波数は二つの半導体レーザ２ａ、２ｂの光周波数の中心値の差で決まる。
【００４７】
光受信器５は、受光素子２５により出力された変調信号をＦＭ復調することで、図２（ｈ）に示す第１の多チャンネル信号と第２の多チャンネル信号とが混合した多チャンネル信号を受信する。周波数の低いチャンネル信号に劣化が生じずに、多チャンネル信号を復調することができる。位相変調と周波数変調は、ほぼ同義の角度変調方式であるため、光受信器６のＦＭ復調器７によって多チャンネル信号を復調することができる。
【００４８】
本発明の第１実施形態の変調器を含む光伝送装置によれば、周波数の低いチャンネル信号は、ＦＭ変調により半導体レーザの光周波数を変調し、周波数の高いチャンネル信号は、光位相変調器により半導体レーザの光周波数を変調することにより、チャンネル信号の周波数に依らず、残留ＡＭ信号を抑圧することができ、かつ、充分なＦＭ復調振幅が得られないことによるチャンネル信号の劣化を抑えることができる。
【００４９】
（第２実施形態）
図３に、本発明の第２実施形態の変調器の構成図を示す。なお、図１と同一符号のものは、同一の構成を示しており、説明を省略する。
【００５０】
本発明の第２実施形態の変調器は、光位相変調を行う第１光位相変調器２３ａを第１半導体レーザ２２ａと光カプラ２４との間に、第２光位相変調器２３ｂを第２半導体レーザ２２ｂと光カプラ２４との間にそれぞれ設け、９００ＭＨｚ以上の高い周波数のチャンネル信号で周波数多重された、異なる第２、第３の多チャンネル信号を各々の光位相変調器２３ａ、２３ｂに入力するようにしたものである。
【００５１】
光カプラ２４は、光位相変調器２３ａ、２３ｂそれぞれから出力された位相変調光を合波し、その光信号を受光素子２５に出力する。
【００５２】
本発明の第２実施形態の変調器を含む光伝送装置によれば、第１、第２半導体レーザから出力されたそれぞれのＦＭ変調光を、異なる多チャンネル信号でそれぞれ位相変調することにより、一度に多くの多チャンネル信号を変調することができる。
【００５３】
（第３実施形態）
図４に、本発明の第３実施形態の変調器の構成図を示す。なお、図１と同一符号のものは、同一の構成を示しており、説明を省略する。
【００５４】
図１に示す本発明の第１実施形態の変調器のように、第２半導体レーザ２２ｂから出力されたＦＭ変調光を光位相変調器２３により光位相変調した場合、光位相変調による遅延が発生するために、第１半導体レーザ２２ａから光カプラ２４にＦＭ変調光が入力されるまでに要する時間と第２半導体レーザ２２ｂから光位相変調器２３を介して光カプラ２４に位相変調光が入力されるまでに要する時間に時間差が発生してしまい、第１半導体レーザから出力されたＦＭ変調光の位相と第２半導体レーザから出力された位相変調光の位相を正確に反転することができない場合がある。
【００５５】
本発明の第３実施形態の変調器は、第１半導体レーザ２２ａと光カプラ２４との間に光遅延機能部２６を設けたものである。光遅延機能部２６を設けることにより、光位相変調器２３による光位相変調により発生した遅延分だけ第１半導体レーザから出力されたＦＭ変調光の位相を遅延する。
【００５６】
本発明の第３実施形態の変調器を含む光伝送装置によれば、光位相変調器により位相変調した際に遅延が発生しても、第１半導体レーザから出力されたＦＭ変調光の位相と第２半導体レーザから出力された位相変調光の位相とを正確に反転することができるため、その反転した２つの変調光を合波することにより残留ＡＭ信号を打ち消すことができる。
【００５７】
なお、光遅延機能部２６は光ファイバなどの光導波路であっても構わない。また、第２実施形態のように第１、第２の半導体レーザから出力されたＦＭ変調光をそれぞれ光位相変調器により位相変調し、同じ時間だけ遅延した位相変調光をそれぞれ出力するようにして、それぞれの光位相変調器から出力された位相変調光に時間差が発生しないようにしても良い。
【００５８】
また、本発明の第３実施形態の変調器は、光遅延機能部２６により第１半導体レーザ２２ａから出力されたＦＭ変調光の位相を光学的に遅延させるようにしたが、第１、第２半導体レーザ２２にＦＭ変調光を出力するタイミングを制御する制御部を分岐回路２１と第１、第２半導体レーザ２２の間に設け、第２半導体レーザに多チャンネル信号を入力するタイミングよりも遅れたタイミングで第１半導体レーザに多チャンネル信号を入力するように制御しても良いし、逆に、第１半導体レーザに多チャンネル信号を入力するタイミングよりも早いタイミングで第２半導体レーザに多チャンネル信号を入力するように制御しても良い。
【産業上の利用可能性】
【００５９】
本発明の変調器、光送信器および光伝送装置は、チャンネル信号の周波数によらず、残留ＡＭ信号を抑圧し、かつ、充分なＦＭ復調振幅が得られないことによるチャンネル信号の劣化を抑圧して、チャネル信号を変調することができるという効果を有し、光ファイバにより多チャンネル信号を伝送する光伝送装置、特に、多チャンネル信号を変調する変調器、この変調器により変調した信号を送信する光送信器、および、この光送信器を含む光伝送装置に関して有用である。
【図面の簡単な説明】
【００６０】
【図１】本発明の第１実施形態の変調器を含む光伝送装置の構成図
【図２】本発明の第１実施形態の変調器の各部、及び、ＦＭ復調器の出力スペクトラム
【図３】本発明の第２実施形態の変調器の構成図
【図４】本発明の第３実施形態の変調器の構成図
【図５】光ヘテロダイン検波方式を用いたＦＭ変調器を含む、従来の光伝送装置の構成図
【図６】従来のＦＭ変調器の各部及びＦＭ復調器の出力スペクトラム
【図７】光へテロダイン検波方式を用いた光位相変調器を含む、従来の光伝送装置の構成図
【図８】従来の光位相変調器の各部及びＦＭ復調器の出力スペクトラム
【符号の説明】
【００６１】
２１、１２１  分岐回路
２２ａ、１２２ａ、２２２ａ  半導体レーザ
２２ｂ、１２２ｂ、２２２ｂ  半導体レーザ
２３、２２３  光位相変調器
２３ａ、  光位相変調器
２３ｂ、  光位相変調器
２４、１２４、２２４  光カプラ
２５、１２５、２２５  受光素子
２６  光遅延機能部
１  光送信器
２  変調器
３  ＥＯ変換部
４  光ファイバ
５  光受信器
６  ＯＥ変換部
７  ＦＭ復調器
【図１】
2006049977.tif 000003
【図２】
2006049977.tif 000004
【図３】
2006049977.tif 000005
【図４】
2006049977.tif 000006
【図５】
2006049977.tif 000007
【図６】
2006049977.tif 000008
【図７】
2006049977.tif 000009
【図８】
2006049977.tif 000010